(57)【要約】【課題】耐光性及び耐熱性に優れ寿命が長い偏光素子を射出面側に有する光変調装置を備え、パネルの映り込み現象が生じにくいプロジェクタを提供すること。【解決手段】Ｇ色用の液晶ライトバルブ４０ｂにおいて、射出側の第２偏光フィルタ４３ｂが無機系材料で形成される偏光素子であるので、第２偏光フィルタ４３ｂの耐光性及び耐熱性が向上し、第２偏光フィルタ４３ｂ延いてはプロジェクタ１００の寿命を長くすることができる。さらに、第２偏光フィルタ４３ｂが非透過光を吸収する吸収型の偏光板であるだけでなく、システム光軸ＯＡに対して傾斜して配置されているので、第２偏光フィルタ４３ｂからの僅かな反射であっても、これがシステム光軸ＯＡに沿って戻されることを防止でき、液晶パネル４１ｂの映り込み現象を回避できる。【選択図】図１
2009222833.tif 000002
【特許請求の範囲】
【請求項１】
入射光の偏光状態を画像情報に応じて変調する液晶パネルと、
前記液晶パネルの後段に配置される射出側偏光板とを備え、
前記射出側偏光板は、無機系材料で形成され、非透過光を吸収する吸収型の偏光板であり、かつ、システム光軸に対して傾斜して配置される、プロジェクタ。
【請求項２】
前記液晶パネルの前段に配置される入射側偏光板をさらに備える、請求項１に記載のプロジェクタ。
【請求項３】
照明光を前記液晶パネルに供給する照明装置と、
前記液晶パネルによって変調され前記射出側偏光板を通過した画像光を投射する投射光学系とをさらに備える、請求項１及び請求項２のいずれか一項に記載のプロジェクタ。
【請求項４】
前記照明装置から射出された照明光を各色光に分離する分離導光光学系と、
前記分離導光光学系で分離された前記各色光を変調する光変調部と、
前記光変調部で変調された各色の変調光を合成して前記投射光学系に射出する合成光学系とをさらに備え、
前記光変調部は、各色毎に、前記液晶パネルと前記射出側偏光板とを有し、
少なくとも１色についての前記射出側偏光板は、無機系材料で形成され、非透過光を吸収する吸収型の偏光板であり、かつ、システム光軸に対して傾斜して配置される、請求項３に記載のプロジェクタ。
【請求項５】
前記光変調部において、少なくとも緑色光用の液晶パネルの後段に配置される前記射出側偏光板は、無機系材料で形成され、非透過光を吸収する吸収型の偏光板であり、かつ、システム光軸に対して傾斜して配置される、請求項４に記載のプロジェクタ。
【発明の詳細な説明】
【技術分野】
【０００１】
本発明は、液晶パネルと偏光素子とによって光変調を行って画像を投射するプロジェクタに関する。
【背景技術】
【０００２】
例えば、液晶ライトバルブを組み込んだタイプのプロジェクタ等において、偏光状態を調整するために、通常、液晶パネルの入射面側及び射出面側には偏光素子が配置される。このうち、射出面側の偏光素子には、液晶パネルへの戻り光が生じないように、一般に光吸収型の有機偏光板が用いられるが、耐光性及び耐熱性に劣り寿命が短いという問題がある。
【０００３】
一方、射出面側の偏光素子を発熱の少ない反射型の偏光素子としたものも存在する（特許文献１参照）。この場合、反射型の偏光素子は、光軸に対して４５°傾斜して配置され、反射された不要光が光路外に射出される。
【特許文献１】特開２００６−５８３４１号公報
【発明の開示】
【発明が解決しようとする課題】
【０００４】
しかしながら、上記のような反射型の偏光素子を用いる場合、偏光素子を光軸に対して大きく傾斜させる必要があり、液晶パネルと投射レンズとの間に大きな空間を確保する必要がある。なお、偏光素子を光軸に対して大きく傾斜させないと、反射光が液晶パネルで反射され、投射画像に重ね合わされるというパネルの映り込み現象が生じる。なお、射出面側の偏光素子を無機材料製で吸収型の偏光素子とすることも考えられるが、この種の偏光素子の反射光も無視できない程度の強度を有する傾向があり、パネルの映り込み現象を十分に抑えることができない。
【０００５】
そこで、本発明は、耐光性及び耐熱性に優れ寿命が長い偏光素子を射出面側に有する光変調装置を備え、パネルの映り込み現象が生じにくいプロジェクタを提供することを目的とする。
【課題を解決するための手段】
【０００６】
上記課題を解決するため、本発明に係るプロジェクタは、（ａ）入射光の偏光状態を画像情報に応じて変調する液晶パネルと、（ｂ）液晶パネルの後段に配置される射出側偏光板とを備え、（ｂ１）射出側偏光板は、無機系材料で形成され、非透過光を吸収する吸収型の偏光板であり、かつ、システム光軸に対して傾斜して配置される。
【０００７】
上記プロジェクタにおいて、射出側偏光板が無機系材料で形成されているので、射出側偏光板の耐光性及び耐熱性が向上し、射出側偏光板延いてはプロジェクタの寿命を長くすることができる。さらに、射出側偏光板が、非透過光を吸収する吸収型の偏光板であるだけでなく、システム光軸に対して傾斜して配置されているので、射出側偏光板からの僅かな反射であっても、パネルの映り込み現象の原因となることを確実に回避できる。
【０００８】
また、本発明の具体的な態様又は観点によれば、上記プロジェクタにおいて、液晶パネルの前段に配置される入射側偏光板をさらに備える。この場合、液晶パネルに入射させる照明光の偏光方向を適切な方向に調整することができる。
【０００９】
本発明の別の態様では、（ｃ）照明光を液晶パネルに供給する照明装置と、（ｄ）液晶パネルによって変調され射出側偏光板を通過した画像光を投射する投射光学系とをさらに備える。
【００１０】
本発明のさらに別の態様では、（ｅ）照明装置から射出された照明光を各色光に分離する分離導光光学系と、（ｆ）分離導光光学系で分離された各色光を変調する光変調部と、（ｇ）光変調部で変調された各色の変調光を合成して投射光学系に射出する合成光学系とをさらに備え、（ｆ１）光変調部は、各色毎に、液晶パネルと射出側偏光板とを有し、（ｆ２）少なくとも１色についての射出側偏光板は、無機系材料で形成され、非透過光を吸収する吸収型の偏光板であり、かつ、システム光軸に対して傾斜して配置される。この場合、分離された各色光を変調し、各色の変調光を合成することで、カラー画像を投射することができる。
【００１１】
本発明のさらに別の態様では、（ｆ３）光変調部において、少なくとも緑色光用の液晶パネルの後段に配置される射出側偏光板は、無機系材料で形成され、非透過光を吸収する吸収型の偏光板であり、かつ、システム光軸に対して傾斜して配置される。照明光のうち緑色光の割合が多い場合、緑色用の射出側偏光板等の劣化も速くなる傾向が強くなるが、上記のように緑色用の射出側偏光板を無機系材料で形成することにより、緑色用の射出側偏光板の寿命を確実に長くすることができる。
【発明を実施するための最良の形態】
【００１２】
〔第１実施形態〕
図１は、本発明に係る第１実施形態のプロジェクタの光学系の構造を概念的に説明する平面図である。このプロジェクタ１００は、光源から射出された光束を画像情報に応じて変調して光学像を形成し、この光学像をスクリーン上に拡大投射するための光学機器である。プロジェクタ１００は、光源装置１０と、均一化光学系２０と、色分離導光光学系３０と、光変調部４０と、合成光学系５０と、投射レンズ６０とを備える。ここで、光源装置１０及び均一化光学系２０は、照明装置を構成する。また、光変調部４０は、３つの液晶ライトバルブ４０ａ，４０ｂ，４０ｃを含む。液晶ライトバルブ４０ａ，４０ｂ，４０ｃは、異なる色光をそれぞれ変調する液晶表示装置である。
【００１３】
上記プロジェクタ１００において、光源装置１０は、放電発光型の発光管１１と、楕円型のリフレクタ１２と、球面型の副鏡１３と、平行化レンズ１４とを備える。発光管１１から周囲に放射された光束は、リフレクタ１２で直接反射され、或いは副鏡１３で反射された後にリフレクタ１２でさらに反射されて収束光束となる。この収束光束は、平行化レンズ１４によって平行光束とされて、前方側すなわち均一化光学系２０の第１レンズアレイ２３に入射する。なお、上述した楕円面型のリフレクタ１２に代えて、放物面等の各種凹面鏡を用いることができる。放物面の凹面鏡を用いた場合、リフレクタ１２の後段に平行化レンズ１４等を設けなくとも、光源装置１０から平行光束を射出させることが可能となる。
【００１４】
均一化光学系２０は、均一化された照度の照明光を光変調部４０に供給する。この均一化光学系２０は、光源装置１０から射出された光束を適当な状態に分割する第１及び第２レンズアレイ２３，２４と、両レンズアレイ２３，２４を経た複数の光束を重畳させる重畳レンズ２５と、重畳レンズ２５を介して後段に射出させる光束の偏光方向を揃える偏光変換素子２７とを備える。第１及び第２レンズアレイ２３，２４は、それぞれマトリクス状に配置された複数の要素レンズ２３ａ，２４ａからなる。このうち、第１レンズアレイ２３を構成する要素レンズ２３ａによって、平行化レンズ１４を経た光束は複数の部分光束に分割される。また、第２レンズアレイ２４を構成する要素レンズ２４ａによって、第１レンズアレイ２３からの各部分光束は適当な発散角で射出される。重畳レンズ２５は、第２レンズアレイ２４から射出され偏光変換素子２７を経た部分光束を全体として適宜収束させて、後段の液晶ライトバルブ４０ａ，４０ｂ，４０ｃの被照明領域すなわち表示領域で重畳させる。偏光変換素子２７は、ＰＢＳアレイで形成された偏光変換装置であり、第１レンズアレイ２３により分割され第２レンズアレイ２４を経た各部分光束の偏光方向を一方向の直線偏光に揃える役割を有する。この偏光変換素子２７は、例えば同様の構造をそれぞれ有しＹ方向にそれぞれ延びる４つのプリズム要素２７ａをＸ方向に配列した構造を有する板状のプリズムアレイである。
【００１５】
色分離導光光学系３０は、第１及び第２ダイクロイックミラー３１ａ，３１ｂと、反射ミラー３２ａ，３２ｂ，３２ｃと、３つのフィールドレンズ３３ａ，３３ｂ，３３ｃとを備え、均一化光学系２０から出射した照明光を赤（Ｒ）、緑（Ｇ）、及び青（Ｂ）の３色に分離するとともに、各色光を後段の液晶ライトバルブ４０ａ，４０ｂ，４０ｃへ導く。より詳しく説明すると、まず、第１ダイクロイックミラー３１ａは、ＲＧＢの３色のうちＲ光を反射しＧ光及びＢ光を透過させる。また、第２ダイクロイックミラー３１ｂは、ＧＢの２色のうちＧ光を反射しＢ光を透過させる。この色分離導光光学系３０において、第１ダイクロイックミラー３１ａで反射されたＲ光は、反射ミラー３２ａを経て入射角調節用のフィールドレンズ３３ａに入射する。また、第１ダイクロイックミラー３１ａを透過し、第２ダイクロイックミラー３１ｂで反射されたＧ光は、入射角調節用のフィールドレンズ３３ｂに入射する。さらに、第２ダイクロイックミラー３１ｂを通過したＢ光は、リレーレンズＬＬ１，ＬＬ２及び反射ミラー３２ｂ，３２ｃを経て入射角調節用のフィールドレンズ３３ｃに入射する。
【００１６】
各液晶ライトバルブ４０ａ，４０ｂ，４０ｃは、入射した照明光の空間的強度分布を変調する非発光型の光変調装置である。これらの液晶ライトバルブ４０ａ，４０ｂ，４０ｃは、色分離導光光学系３０から射出された各色光に対応してそれぞれ照明される３つの液晶パネル４１ａ，４１ｂ，４１ｃと、各液晶パネル４１ａ，４１ｂ，４１ｃの入射側にそれぞれ配置される３つの第１偏光フィルタ４２ａ，４２ｂ，４２ｃと、各液晶パネル４１ａ，４１ｂ，４１ｃの射出側にそれぞれ配置される３つの第２偏光フィルタ４３ａ，４３ｂ，４３ｃとを備える。ここで、３つの第１偏光フィルタ４２ａ，４２ｂ，４２ｃは、いずれも入射側偏光板として機能するものであり、３つの第２偏光フィルタ４３ａ，４３ｂ，４３ｃは、いずれも射出側偏光板として機能するものである。なお、入射側の第１偏光フィルタ４２ａ，４２ｂ，４２ｃと、射出側の第２偏光フィルタ４３ａ，４３ｂ，４３ｃとは、例えばクロスニコルの関係となるように配置される。
【００１７】
この光変調部４０において、第１光路ＯＰ１に導かれたＲ光は、フィールドレンズ３３ａ等を介して液晶ライトバルブ４０ａに入射し、液晶ライトバルブ４０ａを構成する液晶パネル４１ａ上の表示領域を照明する。第２光路ＯＰ２に導かれたＧ光は、フィールドレンズ３３ｂ等を介して液晶ライトバルブ４０ｂに入射し、液晶ライトバルブ４０ｂを構成する液晶パネル４１ｂ上の表示領域を照明する。第３光路ＯＰ３に導かれたＢ光は、フィールドレンズ３３ｃ等を介して液晶ライトバルブ４０ｃに入射し、液晶ライトバルブ４０ｃを構成する液晶パネル４１ｃ上の表示領域を照明する。各液晶パネル４１ａ〜４１ｃは、入射した照明光の偏光方向の空間的分布を変調し、各液晶パネル４１ａ〜４１ｃにそれぞれ入射した３色の光は、各液晶パネル４１ａ〜４１ｃに電気的信号として入力された駆動信号或いは画像信号に応じて、画素単位でその偏光状態を調節される。この際、第１偏光フィルタ４２ａ〜４２ｃによって、各液晶パネル４１ａ〜４１ｃに入射する照明光の偏光方向が調整されるとともに、第２偏光フィルタ４３ａ〜４３ｃによって、各液晶パネル４１ａ〜４１ｃから射出される変調光から所定の偏光方向の変調光が取り出される。結果的に、各液晶ライトバルブ４０ａ，４０ｂ，４０ｃは、それぞれに対応する各色の変調光すなわち像光を形成する。
【００１８】
以上の光変調部４０のうち、Ｇ色用の第２光路ＯＰ２上の液晶ライトバルブ４０ｂにおいて、射出側の第２偏光フィルタ４３ｂは、無機系材料で形成され非透過光を吸収する吸収型の偏光板である。また、この第２偏光フィルタ４３ｂは、その法線が第２光路ＯＰ２すなわちシステム光軸ＯＡに対して一定の傾斜角を有するように傾けて配置されている。
【００１９】
図２は、Ｇ色用の液晶ライトバルブ４０ｂの配置及び機能を説明する断面図である。まず、液晶パネル４１ｂは、システム光軸ＯＡに対して垂直に配置されている。また、入射側偏光板としての第１偏光フィルタ４２ｂも、システム光軸ＯＡに対して略垂直に配置されている。しかしながら、射出側偏光板としての第２偏光フィルタ４３ｂは、上述のように、システム光軸ＯＡに対して適度に傾斜して配置されている。つまり、第２偏光フィルタ４３ｂの法線ＮＬは、システム光軸ＯＡに対して傾斜角αをなしている。
【００２０】
なお、液晶パネル４１ａは、入射側の光透過性基板９３ａと、入射側機能層９３ｂと、射出側の光透過性基板９３ｄと、射出側機能層９３ｅと、両透明基板９３ａ，９３ｄに挟まれた液晶層９３ｇとを備える。ここで、入射側機能層９３ｂは、透明共通電極、配向膜等を積層したものであり、射出側機能層９３ｅは、透明画素電極、配向膜等を積層したものであり、透明共通電極と任意の透明画素電極との間に配置された液晶層９３ｇの部分に必要な電圧を印可できるようになっている。液晶層９３ｇは、例えばＴＮ型の液晶からなり、電圧を印可しない状態でシステム光軸ＯＡに沿った位置で光学軸が徐々に回転する捻れ配向状態となっており、最大電圧を印可した状態でシステム光軸ＯＡに沿って光学軸が延びる垂直配向状態となる。なお、入射側機能層９３ｂには、各画素に対応する開口を有するブラックマトリクスも設けられており、射出側機能層９３ｅには、各画素の透明画素電極に電気的に接続された薄膜トランジスタも設けられている。
【００２１】
以上説明した液晶ライトバルブ４０ｂにおいて、第２偏光フィルタ４３ｂは、無機材料で形成された吸収型の偏光板である。具体的には、第２偏光フィルタ４３ｂは、微量の金属粉（例えば銅粉）を有するホウケイ酸ガラスを含む無機材料により形成されており、液晶パネル４０ｃから射出された変調光から所定方向の直線偏光の不要成分（つまり、非透過光）を選択的に吸収する性質を有する。この第２偏光フィルタ４３ｂは、以上のように吸収型の偏光板であるから、上記のような非透過光を原則として吸収する。しかしながら、第２偏光フィルタ４３ｂの入射面４６ｉは、鏡面に形成されており、僅かな反射光ＬＲ１を生じさせる。このような反射光ＬＲ１は、僅かであるが液晶パネル４１ｂの射出面４６ｏに戻される。しかしながら、第２偏光フィルタ４３ｂが傾斜しているので、液晶パネル４１ｂの射出面４６ｏでの反射光ＬＲ２は、システム光軸ＯＡに対して大きな傾斜角をなして、第２偏光フィルタ４３ｂに入射する。よって、液晶パネル４１ｂからの反射光ＬＲ２は、第２偏光フィルタ４３ｂでほとんど吸収され、仮に僅かながら通過しても、光路外に大きく外れ投射光に重畳されることを回避できる。つまり、第２偏光フィルタ４３ｂからの反射光ＬＲ１である戻り光によって液晶パネル４１ｂの映り込みが生じることを防止でき、高いコントラストの画像を投射することができる。
【００２２】
なお、図１に示す他の光路ＯＰ１，ＯＰ３に設けたＲ光用の液晶ライトバルブ４０ａやＢ光用の液晶ライトバルブ４０ｃにおいて、射出側の第２偏光フィルタ４３ａ，４３ｃは、有機材料で形成された吸収型の偏光板である。具体的には、例えばＰＶＡ（polyvinyl alcohol）ポリマーをヨウ素で染色しフィルム化の際に特定方向に延伸し、このような延伸によって得たフィルムを光透過性基板上に貼り付けたものである。なお、第２偏光フィルタ４３ａ，４３ｃは、上記のような有機材料で形成された吸収型の偏光素子に限らず、ワイヤグリッド等の反射型の偏光素子に置き換えることができる。
【００２３】
合成光学系５０は、クロスダイクロイックプリズムで形成され、各液晶ライトバルブ４０ａ，４０ｂ，４０ｃからの各色の像光を合成する。より詳しく説明すると、合成光学系５０は、４つの直角プリズムを貼り合わせた平面視略正方形状をなし、直角プリズム同士を貼り合わせた界面には、Ｘ字状に交差する一対の誘電体多層膜５１ａ，５１ｂが形成されている。一方の第１誘電体多層膜５１ａは、Ｒ光を反射し、他方の第２誘電体多層膜５１ｂは、Ｂ光を反射する。合成光学系５０は、液晶ライトバルブ４０ａからのＲ光を誘電体多層膜５１ａで反射して進行方向左側に射出させ、液晶ライトバルブ４０ｂからのＧ光を誘電体多層膜５１ａ，５１ｂを介して直進・射出させ、液晶ライトバルブ４０ｃからのＢ光を誘電体多層膜５１ｂで反射して進行方向右側に射出させる。このようにして、合成光学系５０によりＲ光、Ｇ光及びＢ光が合成され、カラー画像による画像光である合成光が形成される。
【００２４】
投射レンズ６０は、投射光学系であり、合成光学系５０を経て形成された合成光による画像光を所望の拡大率で拡大してスクリーン（不図示）上にカラーの画像を投射する。
【００２５】
以上の説明から明らかなように、本実施形態のプロジェクタ１００によれば、Ｇ色用の液晶ライトバルブ４０ｂにおいて、射出側の第２偏光フィルタ４３ｂが無機系材料で形成される偏光素子であるので、第２偏光フィルタ４３ｂの耐光性及び耐熱性が向上し、第２偏光フィルタ４３ｂ延いてはプロジェクタ１００の寿命を長くすることができる。さらに、第２偏光フィルタ４３ｂが非透過光を吸収する吸収型の偏光板であるだけでなく、システム光軸ＯＡに対して傾斜して配置されているので、第２偏光フィルタ４３ｂからの僅かな反射であっても、これがシステム光軸ＯＡに沿って戻されることを防止でき、液晶パネル４１ｂの映り込み現象を確実に回避できる。ここで、特にＧ色用の液晶ライトバルブ４０ｂの第２偏光フィルタ４３ｂを無機系材料製で吸収型としているので、発光管１１から射出される照明光においてＧ色の光量比が比較的大きい場合であっても、Ｇ光による第２偏光フィルタ４３ｂ等の偏った劣化を抑えることができる。
【００２６】
〔第２実施形態〕
以下、第２実施形態について説明する。本実施形態において特に説明のない部分については、第１実施形態と同様の構造を有している。図３は本実施形態に係るプロジェクタの構造を説明するための概念図である。
【００２７】
本実施形態のプロジェクタ２００では、第２光路ＯＰ２上の第２偏光フィルタ４３ｂだけでなく、第３光路ＯＰ３上の第２偏光フィルタ２４３ｃも、無機系材料で形成され非透過光を吸収する吸収型の偏光板である。また、この第２偏光フィルタ２４３ｃは、その法線が第３光路ＯＰ３すなわちシステム光軸ＯＡに対して適度な傾斜角を有するように傾けて配置されている。
【００２８】
本実施形態の場合、第２光路ＯＰ２だけでなく第３光路ＯＰ３において、第２偏光フィルタ２４３ｃの耐光性及び耐熱性が向上し、第２偏光フィルタ２４３ｃ延いてはプロジェクタ２００の寿命を長くすることができるとともに、液晶パネル４１ｃの映り込み現象を回避できる。なお、本実施形態では、Ｂ色用の液晶ライトバルブ４０ｃの第２偏光フィルタ２４３ｃを無機系材料製で吸収型としているので、発光管１１から射出される照明光においてＢ色光の光量比が比較的大きい場合であっても、Ｂ光やこれに付随する紫外線による第２偏光フィルタ２４３ｃ等の偏った劣化も抑えることができる。
【００２９】
〔第３実施形態〕
以下、第３実施形態について説明する。本実施形態において特に説明のない部分については、第１実施形態と同様の構造を有している。図４は本実施形態に係るプロジェクタの構造を説明するための概念図である。
【００３０】
本実施形態のプロジェクタ３００では、全ての光路ＯＰ１，ＯＰ２，ＯＰ３上の第２偏光フィルタ３４３ａ，４３ｂ，２４３ｃが、無機系材料で形成され非透過光を吸収する吸収型の偏光板である。また、これらの第２偏光フィルタ３４３ａ，４３ｂ，２４３ｃは、それぞれの法線が各光路ＯＰ１，ＯＰ２，ＯＰ３すなわちシステム光軸ＯＡに対して適度な傾斜角を有するように傾けて配置されている。
【００３１】
本実施形態の場合、各色の第２偏光フィルタ３４３ａ，４３ｂ，２４３ｃの耐光性及び耐熱性が向上し、これら第２偏光フィルタ３４３ａ，４３ｂ，２４３ｃ延いてはプロジェクタ３００の寿命を長くすることができるとともに、液晶パネル４１ａ，４１ｂ，４１ｃの映り込み現象を回避できる。
【００３２】
この発明は、上記の実施形態に限られるものではなく、その要旨を逸脱しない範囲において種々の態様において実施することが可能であり、例えば次のような変形も可能である。
【００３３】
上記実施形態において、第２偏光フィルタ３４３ａ，４３ｂ，２４３ｃの傾斜角度や傾斜方向は、図示したものに限らず、用途や仕様に応じて様々に変更することができる。また、第２偏光フィルタ３４３ａ，４３ｂ，２４３ｃの組み込みは、図１、３、４に例示するものに限らず、例えば第１光路ＯＰ１上の第２偏光フィルタ２４３ａのみを、無機系材料で形成され非透過光を吸収する吸収型の偏光板とするとともに、システム光軸ＯＡに対して適度な傾斜角を有するように傾けて配置することができる。
【００３４】
上記実施形態の光源装置１０に用いるランプとしては、高圧水銀ランプやメタルハライドランプ等種々のものが考えられる。また、光源装置１０は、副鏡１３を有しないタイプの光源とすることができる。
【００３５】
また、上記実施形態では、光源装置１０からの光を複数の部分光束に分割するため、一対のレンズアレイ２３，２４を用いていたが、この発明は、このようなレンズアレイを用いないプロジェクタにも適用可能である。さらに、レンズアレイ２３，２４をロッドインテグレータに置き換えることもできる。
【００３６】
また、上記実施形態において、光源装置１０からの光を特定方向の偏光とする偏光変換素子２７を用いていたが、この発明は、このような偏光変換素子２４を用いないプロジェクタにも適用可能である。
【００３７】
また、上記実施形態では、透過型のプロジェクタに本発明を適用した場合の例について説明したが、本発明は、反射型プロジェクタにも適用することが可能である。ここで、「透過型」とは、液晶パネル等を含む液晶ライトバルブが光を透過するタイプであることを意味しており、「反射型」とは、液晶ライトバルブが光を反射するタイプであることを意味している。なお、光変調装置は液晶パネル等に限られず、例えばマイクロミラーを用いた光変調装置であってもよい。
【００３８】
また、プロジェクタとしては、投射面を観察する方向から画像投射を行う前面プロジェクタと、投射面を観察する方向とは反対側から画像投射を行う背面プロジェクタとがあるが、本実施形態のプロジェクタの構成は、いずれにも適用可能である。
【００３９】
また、上記実施形態では、３つの液晶パネル４１ａ〜４１ｃを用いたプロジェクタ１００〜３００の例のみを挙げたが、本発明は、１つの液晶パネルのみを用いたプロジェクタ、２つの液晶パネルを用いたプロジェクタ、或いは、４つ以上の液晶パネルを用いたプロジェクタにも適用可能である。
【図面の簡単な説明】
【００４０】
【図１】本発明の第１実施形態のプロジェクタについて説明する図である。
【図２】Ｇ色用の液晶ライトバルブの配置及び機能を説明する断面図である。
【図３】第２実施形態のプロジェクタについて説明する図である。
【図４】第３実施形態のプロジェクタについて説明する図である。
【符号の説明】
【００４１】
１０…光源装置、  ２０…均一化光学系、  ２３，２４…レンズアレイ、  ２４…偏光変換素子、  ２５…重畳レンズ、  ２７…偏光変換素子、  ３０…色分離導光光学系、  ３１ａ，３１ｂ…ダイクロイックミラー、  ３３ａ，３３ｂ，３３ｃ…フィールドレンズ、  ４０…光変調部、  ４０ａ，４０ｂ，４０ｃ…液晶ライトバルブ、  ４１ａ，４１ｂ，４１ｃ…液晶パネル、  ４２ａ，４２ｂ，４２ｃ…第１偏光フィルタ、  ４３ａ，４３ｂ，４３ｃ，２４３ｃ，３４３ａ…第２偏光フィルタ、  ５０…合成光学系、  ５１ａ，５１ｂ…誘電体多層膜、  ６０…投射レンズ、  １００，２００，３００…プロジェクタ、  ＯＡ…システム光軸
【図１】
2009222833.tif 000003
【図２】
2009222833.tif 000004
【図３】
2009222833.tif 000005
【図４】
2009222833.tif 000006